Podtech/llm-jp-corpus-v4-ja_patent huggingface dataset:
(57)【要約】      （修正有）【課題】読者が、同書内の別ページや別の文献を参照すること無く、時系列の混乱を期すことも無く、読書に専念でき、歴史学習を強力に推し進めることができる歴史書を提供する。【解決手段】本文Ｂを歴史的出来事の起こった順に記述する。本文Ｂの上下にそのページで記述している歴史的出来事の起こった時代名、執権者、文化や歴史全体の中の位置を示す時系列バーの領域Ａ，Ｃを設ける。こうすることにより、別のページや本を参照すること無く、常に時系列に沿った読み進みを可能にする。【選択図】図１
0003188493.tif 000002
【実用新案登録請求の範囲】
【請求項１】
本文を時系列にそって記述し、本文の上下にそのページで記述している歴史的出来事の起こった時代名、執権者、文化などや歴史全体の中の位置を示す領域を設けるなどして、別のページや本を参照することなく、常に時系列に沿った読み進みができる、これまでにない画期的な歴史書。
【考案の詳細な説明】
【技術分野】
【０００１】本考案は、歴史書に関するものである。
【背景技術】
【０００２】通常の歴史書では、政治、文化、経済、大事件などにより記述が分けられ、各記述のまとまり毎に時代が前後するために理解の障害となっている。【０００３】また年表は出来事を列挙するのみで、前後の因果関係や時代の特徴を理解するのには別の文献との対比、検討など、読者の労力が必要である。【０００４】そこで、本考案者は、時系列にそって記述した本文の他に、後述の時系列バーを各ページに配置する歴史書を考案した。
【考案の概要】
【０００５】本文を時系列にそって記述し、本文の上下にそのページで記述している歴史的出来事の起こった時代名、執権者、文化などや歴史全体の中の位置を示す領域を設けるなどして、別のページや本を参照することなく、常に時系列に沿った読み進みができる、これまでにない画期的な歴史書。
【考案の効果】
【０００６】本考案により、読者は、同書内の別ページや別の文献を参照すること無く、時系列の混乱を来すことも無く、読書に専念でき、歴史学習を強力に押し進めることができる。
【図面の簡単な説明】
【０００７】
【図１】本考案の一実施形態に係る歴史書の見開き状態を示す説明図である。
【０００８】以下、添付図面を参照しながら本考案の一実施形態について説明する。なお、本考案の実施形態における構成要素は適宜、既存の構成要素等との置き換えが可能であり、また、他の既存の構成要素との組合せを含む様々なバリエーションが可能である。したがって、本考案の実施形態の記載をもって、実用新案登録請求の範囲に記載された考案の内容を限定するものではない。【０００９】図１のＡの領域を時系列バー１と呼び、時代名、執権者、文化など、該当ページの本文で記述している時代の特徴を示し、読者の歴史の理解を助ける。【００１０】Ｂの領域には、歴史上の出来事を、その順序を変えることなく記述し、本文とする。【００１１】Ｃの領域を時系列バー２と呼び、歴史書が主題とする国や地域の歴史全体の中での位置確認ができる。【００１２】その他、Ｄ１、Ｄ２のような領域を適宜設け、文章では理解しにくい事柄を図や絵で解説してもよい。【００１３】上述した各領域の形態の説明は本考案の一例であり、本考案は上述の実施の形態に限定されることはない。このため、上述した各実施の形態以外であっても、本考案に係る技術的思想を逸脱しない範囲であれば、書籍のサイズ等に応じて種々の変更を加えることが本考案に含まれることは勿論である。
【符号の説明】
【００１４】Ａ  時系列バー１
Ｂ  本文
Ｃ  時系列バー２
Ｄ１  図表領域
Ｄ２  図表領域
【図１】
0003188493.tif 000003
【手続補正書】
【提出日】平成25年10月22日(2013.10.22)
【手続補正１】
【補正対象書類名】実用新案登録請求の範囲
【補正対象項目名】請求項１
【補正方法】変更
【補正の内容】
【請求項１】
本文を時系列にそって記述し、本文の上下にそのページで記述している歴史的出来事の起こった時代名、執権者、文化や歴史全体の中の位置を示す領域を設けて、別のページや本を参照することなく、常に時系列に沿った読み進みができる歴史書。
(57)【要約】      （修正有）【課題】自動車の標準消音機の内部に簡単に取り付けられるよう工夫した簡易型騒音増幅器を提供する。【解決手段】自動車の標準消音器に本器を簡単に取り付けることができるため、エンジン始動時に本器の働きで十分な騒音低減効果を得ることができる。エンジン始動後には簡単に取り外すことができる。消音用パイプ３，４，５と消音用パイプ３，４，５の標準消音器に取り付けられる入口側の先端に設けられたゴム製の接合部８，９からなり、接合部８，９は先端側の外径が反対側の外径よりも小さくする。消音用パイプ３，４，５は出口側に向かうにつれ段階的に細くなっており、出口が下方に向けられている。【選択図】図１
0003188498.tif 000002
【実用新案登録請求の範囲】
【請求項１】
自動車の標準消音器内部に簡単に取り付けられる構造にしたことを特徴とする簡易型消音増幅器。
【請求項２】
前記消音構造はパイプを段階的に細くし、出口を下方へ向けることを特徴とする請求項１記載の簡易型消音増幅器。
【考案の詳細な説明】
【技術分野】
【０００１】  この発明は、自動車の簡易型消音増幅器の形状に関する。
【背景技術】
【０００２】  自動車の消音器の内部に取り付け、消音効果を更に高めて使用する。図３に示すように、消音器の内部に取り付け易いように工夫し作成されたものである。
【先行技術文献】
【特許文献】
【０００３】
【特許文献１】特開２０１１−１２６４６（Ｐ２０１１−１２６４６Ａ）
【非特許文献】
【０００４】
【考案の概要】
【考案が解決しようとする課題】
【０００５】  しかしながら、以上の技術によれば、消音器の形状により脱着が難しい形状であり、
必要な時に取り付けて使用する用途ではなかった。そこで、この発明は自動車の標準消音器の内部に簡単に取り付けられるよう工夫した簡易型消音増幅器を提供することを課題とする。
【課題を解決するための手段】
【０００６】  以上の課題を解決するために、第一考案は、自動車の標準消音器の内部へ簡単に取り付けられる構造としたことを特徴とする簡易型消音増幅器である。本器はエンジン始動時の騒音を低減させる目的であり、エンジン始動後簡単に取り外せる事を前提としている。
また、第二考案は、消音効果を十分に引き出すために、内部のパイプ構造を徐々に細くしており、出口については下方に向ける構造とすることにより消音効果を更に高めたことを特徴とする簡易型消音増幅器である。
【考案の効果】
【０００７】  第一考案、または第二考案によれば、エンジン始動時の騒音を低減させるために、簡単に取り付ける事ができ、十分な消音効果を得ることができる。
【図面の簡単な説明】
【０００８】
【図１】この考案の一実施形態を示す斜視図である。
【図２】自動車用標準消音器を示す斜視図である。
【図３】自動車用標準消音器に本器を取り付けるところの斜視図である。
【図４】自動車用標準消音器に本器を取り付けたところの斜視図である。
【考案を実施するための形態】
【０００９】  この考案の一実施形態を、図１に示す。
簡易型消音増幅器本体１及び２はアルミニウム製であり、この本体１及び２に、消音用パイプ３、４、５を接続している。消音パイプ４には排気圧分散用ダクト１１が取り付けられており、排圧をパイプ内に集中せずに消音器内に分散するよう設計している。
また、消音用パイプ４、３の順にパイプ径を小さくすることにより、騒音低減を行っている。さらに消音パイプ５は接続アダプター６を介し下方に向けることにより十分な消音効果を得られる工夫をしている。本体１と消音パイプ３の接合部は排気漏れを防ぐパッキン７でありゴム製である。また、標準消音器出口パイプとの接合部８、９はゴム製で外径が内側に比べ外側が小さく、標準消音器とスムーズに接合できるようになっている。消音材カバー１０の内部には耐熱用の消音材を入れている。
【００１０】「実施形態の効果」
この実施形態によれば、消音パイプ接続部８、９を自動車の標準消音器に接続し、エンジン始動を行うと騒音を十分に低減することができる。
「他の実施形態」
図１の実施形態では、標準消音器出口パイプが２本用であるが、他の実施形態では、標準消音器出口パイプ１本の場合でも同様の構造で良い。また、本体１及び２の形状及び、消音パイプ３、４、５の数については標準消音器の形状により異なるケースもある。
【符号の説明】
【００１１】１、２簡易型消音増幅器本体  ３消音用パイプ（細）  ４消音用パイプ（太）
５  消音用パイプ（下方）  ６消音用パイプ接続アダプター  ７消音用パイプ接合パッキン  ８、９標準消音器パイプ接合部  １０消音材カバー  １１排圧分散ダクト
１２自動車用標準消音器（図２説明用）  １３自動車用標準消音器（図３説明用）
１４本器（図３説明用）  １５自動車用標準消音器に本器を取り付けたところ（図４説明用）
【図１】
0003188498.tif 000003
【図２】
0003188498.tif 000004
【図３】
0003188498.tif 000005
【図４】
0003188498.tif 000006
【手続補正書】
【提出日】平成25年10月30日(2013.10.30)
【手続補正１】
【補正対象書類名】実用新案登録請求の範囲
【補正対象項目名】全文
【補正方法】変更
【補正の内容】
【実用新案登録請求の範囲】
【請求項１】
自動車の標準消音器内部に簡単に取り付けられる構造にした簡易型消音増幅器であって、消音パイプと前記消音パイプの標準消音器に取り付けられる入口側の先端に設けられたゴム製の接合部からなり、前記接合部は先端側の外径が反対側の外径よりも小さい事を特徴とする。
【請求項２】
前記消音パイプは出口側に向かうにつれ段階的に細くなっており、出口が下方に向けられている事を特徴とする請求項１記載の簡易型消音増幅器。
(57)【要約】      （修正有）【課題】乳房の下側をしっかり支えるとともに、乳房を左右に逃がさずに、乳房を脇から中央にしっかり寄せて上方に引き上げることにより、乳房を美しく保形するブラジャーを提供する。【解決手段】ブラジャー１は、カップ部２および肩ストラップ３を備え、肩ストラップ３の前側下端は、カップ部２の上端部に連結する上側端部３１とカップ部２の脇側側縁部に連結する脇側端部３２とで二股状をなし、カップ部２は、下層内面に乳房の下側傾斜面を押圧するパッドが装着可能なパッド収容部を備えるとともに、側周縁部には、下縁湾曲部を経由して上端部まで延びるワイヤー５が設けられている。【選択図】図１
0003188461.tif 000002
【実用新案登録請求の範囲】
【請求項１】
左右一対のカップ部および肩ストラップを備えたブラジャーであって、
前記肩ストラップの前側下端は、前記カップ部の上端部に連結する上側端部と前記カップ部の脇側側縁部に連結する脇側端部とで二股状をなし、
前記カップ部は、下層内面に乳房の下側傾斜面を押圧するパッドが装着可能なパッド収容部を備えるとともに、
側周縁部には、下縁湾曲部を経由して上端部まで延びるワイヤーが設けられている
ことを特徴とするブラジャー。
【考案の詳細な説明】
【技術分野】
【０００１】
本考案は、女性が着用するブラジャーに関するものである。
【背景技術】
【０００２】
従来のブラジャーにおいて、乳房を美しく保形する手段としては、カップ部の下方湾曲部に沿ってワイヤーを設けたワイヤー入りブラジャーが知られている。ワイヤーにより乳房の下側を支持し、肩ストラップにより乳房を真上に持ち上げて保形するものである。
【考案の概要】
【考案が解決しようとする課題】
【０００３】
しかし、従来のワイヤー入りブラジャーは、ワイヤーがカップ部の下方湾曲部にしか設けられていないため、乳房が脇方向へ広がって必ずしも美しく保形されないという欠点があった。
【０００４】
また、従来のワイヤー入りブラジャーは、肩ストラップがカップ部の上端部にのみ連結しているため、乳房を真上へ引き上げる効果は有するものの、左右の乳房を中央に寄せて美しい谷間を形成する効果まで有するものではなかった。
【０００５】
本考案は、乳房の下側をしっかり支えるとともに、乳房を左右に逃がさずに、乳房を脇から中央にしっかり寄せて上方に引き上げることにより、乳房を美しく保形するブラジャーを提供するものである。
【課題を解決するための手段】
【０００６】
上記の課題を解決するために、本考案のブラジャーは、左右一対のカップ部および肩ストラップを備え、前記肩ストラップの前側下端は、前記カップ部の上端部に連結する上側端部と前記カップ部の脇側側縁部に連結する脇側端部とで二股状をなし、前記カップ部は、下層内面に乳房の下側傾斜面を押圧するパッドが装着可能なパッド収容部を備えるとともに、側周縁部には、下縁湾曲部を経由して上端部まで延びるワイヤーが設けられている。
【考案の効果】
【０００７】
本考案によれば、乳房の下側をしっかり支えるとともに、乳房を左右に逃がさずに、乳房を脇から中央にしっかり寄せて上方に引き上げることにより、乳房を美しく保形するブラジャーを提供することができる。
【図面の簡単な説明】
【０００８】
【図１】本考案のブラジャーの一実施例を示す斜視図である。
【図２】本考案のブラジャーの背面図である。
【図３】本考案のウレタンパッドの説明図である。
【考案を実施するための形態】
【０００９】
以下、本考案のブラジャーの実施形態について、図面に基づいて具体的に説明する。
【００１０】
図１は本考案のブラジャーの一実施例を示す斜視図であり、図２は本考案のブラジャーの背面図であり、図３は本考案のウレタンパッドの説明図である。
【００１１】
本考案のブラジャー１は、カップ部２と、肩ストラップ３と、サイドベルト４とを備える。カップ部２と肩ストラップ３との連結およびカップ部２とサイドベルト４との連結は縫着により接合しても良いし、ホック等を設けて取り外し可能としても良い。
【００１２】
カップ部２は、乳房に合わせて左右に１つずつのカップ布２１がセンター２２を介して連結してなる。カップ布２１の形状は特に限定されないが、カップの上１／４をサイドからセンターに向かって斜めにカットした形状が、乳房を中央に寄せて谷間を強調するのに好適である。
【００１３】
カップ部２の脇側周縁部には、下縁湾曲部を経由して上端部まで延びる袋状の空間が形成され、この空間部分にはワイヤー５が装着されている。ワイヤー５の材質としては金属製（形状記憶合金を含む）でもよいが、特に合成樹脂製（例えばポリプロピレン樹脂製）であれば柔軟性に富んだワイヤーが得られ、これによってカップ部がソフトな感触になり、着用感が向上する。
【００１４】
ワイヤー５は、乳房の下側のみならず脇側側部にかけて支持するものであるため、乳房を上方に持ち上げるだけではなく、乳房を左右から適度に寄せつつ乳房を包み込むようにして美しい谷間を形成するものである。
【００１５】
カップ部２の下層内面にはパッド収容部２３が形成され、この中にウレタンパッド６が装着されている。本実施例では、パッドの素材として乳房を締め付けずにやさしくフィットするのに好適なポリウレタンフォームを用いているが、綿、その他の素材を用いることもできる。
【００１６】
ウレタンパッド６は、断面形状が乳房の下側傾斜面を押圧する厚肉部６１と、これと連続成形されて乳房の上部に当接する薄肉部６２とを備えた形状とするのが乳房を上方に持ち上げて美しく保形するのに好ましいが、これに限定されるものではない。
【００１７】
肩ストラップ３は、カップ部２と連結する前側下端が、カップ部２の上端部と連結する上側端部３１と、カップ部２の脇側側縁部と連結する脇側端部３２とで、二股状に形成されている。これにより、肩ストラップ３は、乳房を上側端部３１の向きに沿って引き上げながら脇側端部３２の向きに沿って中央に引き寄せて、美しい「乳房の間の谷間」を形成することができる。
【００１８】
上記のとおり、カップ部２に設けられたワイヤー５と肩ストラップ３は、ともに乳房を引き上げながら中央へ寄せる効果をもたらすのに好適な形状をなしている。これらの効果が相まって、本考案のブラジャーは優れた保形効果を発揮するものである。
【００１９】
さらに、本考案は、ブラジャーのカップ部および肩ストラップに相当する部分を有するスリーインワン、ブラスリップ、ボディスーツ等のファウンデーションに供することにより、同様の効果を発揮することができるものである。
【符号の説明】
【００２０】
１    ブラジャー
２    カップ部
３    肩ストラップ
４    サイドベルト
５    ワイヤー
６    ウレタンパッド
２１  カップ布
２２  センター
２３  パッド収容部
３１  上側端部
３２  脇側端部
６１  厚肉部
６２  薄肉部
【図１】
0003188461.tif 000003
【図２】
0003188461.tif 000004
【図３】
0003188461.tif 000005
(57)【要約】【課題】電子製品から放出された電磁波を効果的に吸収可能な電磁波吸収ステッカを提供する。【解決手段】粘着シート１、底部シート２、ブロック状の電磁波吸収体３、および、キャップ４を備える。粘着シート１は、第一面１１および第二面１２を有し、第一面１１が底部シート２に接続されており、第二面１２に粘着剤が設けられている。底部シート２は、正面２１および背面２２を有し、背面２２が粘着シート１の第一面１１に接続されており、正面２１に電磁波吸収体３が設けられている。電磁波吸収体３は、天然鉱石から作られており、任意の形を有する。キャップ４は、底部シート２および粘着シート１の形に合わせて作られており、内部に収容空間を有し、底部シート２の正面２１に被さることによって電磁波吸収体３を収容する。【選択図】  図１
0003188462.tif 000002
【実用新案登録請求の範囲】
【請求項１】
粘着シート、底部シート、ブロック状の電磁波吸収体、および、キャップを備え、
前記粘着シートは、第一面および第二面を有し、前記第一面が前記底部シートに接続されており、前記第二面に粘着剤が設けられており、
前記底部シートは、正面および背面を有し、前記背面が前記粘着シートの前記第一面に接続されており、前記正面に前記電磁波吸収体が設けられており、
前記電磁波吸収体は、天然鉱石から作られており、任意の形を有し、
前記キャップは、前記底部シートおよび前記粘着シートの形に合わせて作られており、内部に収容空間を有し、前記底部シートの正前記面に被さることによって前記電磁波吸収体を収容することを特徴とする電磁波吸収ステッカ。
【請求項２】
前記粘着シートおよび前記底部シートは、別々の部品である、または、一体に形成されていることを特徴とする請求項１に記載の電磁波吸収ステッカ。
【請求項３】
前記電磁波吸収体は、バイオセラミックス、クリスタル、モナズ石、ルチル、トルマリン、麦飯石、イルメナイト、磁鉄鉱、または、リモナイトであることを特徴とする請求項１に記載の電磁波吸収ステッカ。
【考案の詳細な説明】
【技術分野】
【０００１】
本考案は、電磁波吸収ステッカに関する。
【背景技術】
【０００２】
社会および科学技術の進歩に伴い、ハイテク電子製品は、現代人の欠かせない身の回り品となる。特にタブレットＰＣ、スマートフォンおよびコンピュータは、現代人およびオフィスを全面的にサポートすることになる。しかしながら、電子製品は、無線電気信号を受信できると同時に人間の目に見えない電磁波を発する。電子製品が人体に近ければ電磁波も人体に近くなる。人体は、長時間にわたって電磁波を持続的に受ければ文明病になりやすくなる。
【考案の概要】
【考案が解決しようとする課題】
【０００３】
本考案は、上述した問題に鑑みてなされたものであり、電子製品から放出された電磁波を効果的に吸収可能な電磁波吸収ステッカを提供することを目的とする。
【課題を解決するための手段】
【０００４】
本考案による電磁波吸収ステッカは、身の回りの電子製品に簡単に粘着することができ、かつ粘着シート、底部シート、ブロック状の電磁波吸収体およびキャップを備える。ブロック状の電磁波吸収体は電磁波吸収効果を有する天然鉱石から作られており、底部シートおよびキャップとの間に配置されている。粘着シートは底部シート上のブロック状の電磁波吸収体に配置された面とは反対側の面に配置されている。電磁波吸収ステッカは、粘着シートによって任意の電子製品の表面に粘着可能であり、かつブロック状の電磁波吸収体によって電磁製品から放出された電磁波を最も近い距離で迅速に吸収し、文明病から人体の健康を守ることができる。また電磁波吸収ステッカは、電子製品の外部に貼り付けられており、かつ任意の形に設計可能であるため、美観を増し、装飾効果を果たすことができる。
【図面の簡単な説明】
【０００５】
【図１】本考案の一実施形態による電磁波吸収ステッカを示す分解斜視図である。
【図２】本考案の一実施形態による電磁波吸収ステッカを示す斜視図である。
【図３】本考案の一実施形態による電磁波吸収ステッカを示す側面図である。
【図４】本考案の一実施形態による電磁波吸収ステッカを示す断面図である。
【考案を実施するための形態】
【０００６】
以下、本考案の一実施形態による電磁波吸収ステッカを図面に基づいて説明する。
（一実施形態）
図１から図４に示すように、本考案の一実施形態による電磁波吸収ステッカは、粘着シート１、底部シート２、ブロック状の電磁波吸収体３およびキャップ４を備える。
粘着シート１は、第一面１１および第二面１２を有する。第一面１１は底部シート２の背面２２に付着する。第二面１２は粘着剤を有するため、任意の物品の表面に貼り付けることができる。
【０００７】
底部シート２は、正面２１および背面２２を有する。背面２２は粘着シート１の第一面１１に付着する。正面２１はブロック状の電磁波吸収体３に連結される。粘着シート１および底部シート２は別々の部品から構成されるか、一体に形成される。
【０００８】
ブロック状の電磁波吸収体３は、天然鉱石から製作され、任意の形を呈するように形成され、かつ貼付または溶接方法によって底部シート２の正面２１に固定される。天然鉱石は、電磁波吸収効果を有し、バイオセラミックス、クリスタル、モナズ石、ルチル、トルマリン、麦飯石、イルメナイト、磁鉄鉱およびリモナイトなどを含む。
【０００９】
キャップ４は、底部シート２および粘着シート１の形に合わせるように製作され、内部に陥没状空間を有する。キャップ４は底部シート２の正面２１に被さることによってブロック状の電磁波吸収体３を内部に包んで保護する。
【００１０】
粘着シート１、底部シート２、ブロック状の電磁波吸収体３及びキャップ４を順に組み立てれば、任意の電子製品の平坦な部位に簡単に粘着することができる。ブロック状の電磁波吸収体３は電磁製品から放出された電磁波を最も近い距離で迅速に吸収するため、電子製品から放出された電磁波を人体が受ける量を減少させ、文明病から人体の健康を守ることができる。また電磁波吸収ステッカは任意の形に設計されることができるため、電子製品の外観を装飾する効果を有するだけでなく、構造上の新規性、進歩性および産業上の利用性を有する。一方、本考案により提示された技術はこの技術を熟知した人ならば実施することができ、かつ今までなかった作法および増進効果が実用新案登録の要件を満足するため、法に従って出願する。
【００１１】
以上、本考案は、上記実施形態になんら限定されるものではなく、考案の趣旨を逸脱しない範囲において種々の形態で実施可能である。
【符号の説明】
【００１２】
１：粘着シート、  
１１：第一面、
１２：第二面、
２：底部シート、
２１：正面、
２２：背面、
３：電磁波吸収体、
４：キャップ。
【図１】
0003188462.tif 000003
【図２】
0003188462.tif 000004
【図３】
0003188462.tif 000005
【図４】
0003188462.tif 000006
(57)【要約】      （修正有）【課題】構成及び取り扱いの簡単な載置物品の転倒防止具を提供する。【解決手段】載置物品６の転倒防止具は、凸状輪郭部分１と、この凸状輪郭部分の側面に隣接してその下側に一連として配置した矩形状の凹状輪郭部分２とを１サイクルとする波形パネル素子の複数サイクルが長手方向に連続して形成されている弾力性により変形可能な一枚のパネル板３とより成り、パネル板の凸状輪郭部分の両側面が夫々円弧状に外方に膨らんでおり、パネル板の凹状輪郭部分に載置物品が嵌合されることを特徴とする。【選択図】図１
0003188440.tif 000002
【実用新案登録請求の範囲】
【請求項１】
凸状輪郭部分と、この凸状輪郭部分の側面に隣接してその下側に一連として配置した矩形状の凹状輪郭部分とを１サイクルとする波形パネル素子の複数サイクルが長手方向に連続して形成されている弾力性により変形可能な一枚のパネル板とより成り、上記パネル板の上記凸状及び凹状輪郭部分の両側面が夫々弧状に外方に膨らんでおり、上記パネル板の凹状輪郭部分に載置物品が嵌合されることを特徴とする載置物品の転倒防止具。  
【請求項２】
凸状輪郭部分と、この凸状輪郭部分の側面に隣接してその下側に一連として配置した矩形状の凹状輪郭部分とを１サイクルとする波形パネル素子の複数サイクルが長手方向に連続して形成されている弾力性により変形可能な一枚のパネル板とより成り、上記パネル板の上記凸状輪郭部分の両側面が夫々弧状に外方に膨らんでおり、上記凹状輪郭部分に載置物品が嵌合されることを特徴とする載置物品の転倒防止具。
【考案の詳細な説明】
【技術分野】
【０００１】
本考案は、陳列等のため載置した物品が転倒して破壊する事故を防止できるようにした載置物品の転倒防止具に関する。
【背景技術】
【０００２】
現在、コンビニ、スーパー及び酒類の販売店では側面販売行為がセールスの主流でありマグニチュード５〜６以上の地震になると店舗内のフロアーには商品性を失った販売物が散乱している模様がしばしば見られる。
【考案の概要】
【考案が解決しようとする課題】
【０００３】
地震による揺れによっても載置物品がみだりに転倒しないようにした陳列具が求められている。
【課題を解決するための手段】
【０００４】
本考案の載置物品の転倒防止具は、凸状輪郭部分と、この凸状輪郭部分の側面に隣接してその下側に一連として配置した矩形状の凹状輪郭部分とを１サイクルとする波形パネル素子の複数サイクルが長手方向に連続して形成されている弾力性により変形可能な一枚のパネル板とより成り、上記パネル板の上記凸状及び凹状輪郭部分の両側面が夫々弧状に外方に膨らんでおり、上記パネル板の凹状輪郭部分に載置物品が嵌合されることを特徴とする。
また、本考案の載置物品の転倒防止具は、凸状輪郭部分と、この矩形状の凸状輪郭部分の側面に隣接してその下側に一連として配置した矩形状の凹状輪郭部分とを１サイクルとする波形パネル素子の複数サイクルが長手方向に連続して形成されている弾力性により変形可能な一枚のパネル板とより成り、上記パネル板の上記凸状輪郭部分の両側面が夫々弧状に外方に膨らんでおり、上記凹状輪郭部分に載置物品が嵌合されることを特徴とする載置物品の転倒防止具。  
【考案の効果】
【０００５】
本考案の載置物品の転倒防止具によれば、地震等の揺れから載置物品が転倒、落下し、破損する等の事故を容易に防止できる。
【図面の簡単な説明】
【０００６】
【図１】本考案の載置物品の転倒防止具の使用状態を示す斜視図である。
【考案を実施するための最良の形態】
【０００７】
以下図面によって本考案の実施例を説明する。
【実施例１】
【０００８】
本考案の載置物品の転倒防止具は、図１に示すように矩形状の凸状輪郭部分１と、この矩形状の凸状輪郭部分１の側面に隣接してその下側に一連として配置した矩形状の凹状輪郭部分２とを１サイクルする波形パネル素子の複数サイクルが長手方向に連続して形成されている弾力性により変形可能な一枚のパネル板３とより成る。上記パネル板３の凹状輪郭部分２の下面４は陳列台５に接着剤やリベットにより固定される。上記パネル板３の上記矩形状の凸状輪郭部分１及び凹状輪郭部分２の両側面は夫々円弧状に外方に膨らんでＳ状をなすのが好ましい。
上記パネル板３は弾力性により変形可能な厚さ例えば０．６ｍｍのアルミニウムや銅の金属板、または、厚さ例えば１ｍｍのプラスチック板とし、互に隣接する上記矩形状の凸状輪郭部分１相互間の幅は載置物品６の幅より若干小さくする。
本考案においては上記パネル板３の凹状輪郭部分２内にこの凹状輪郭部分２の入口を介して上記載置物品６の下部を強制的に圧嵌せしめるものであるが、上記凸状輪郭部分１の両側面は外方に円弧状に膨らんでおり、従って上記凸状輪郭部分１相互間の隙間は上記凹状輪郭部分２の入口の長さより外方に膨らんでいる分だけ小さくなっているが、上記嵌合に際しては上記パネル板３はその弾力性により変形し、上記強制的な載置物品６の圧嵌を許容するようになり、両者を互に嵌合した後は、地震等の振動、衝撃を受けても載置物品６はパネル板３からみだりに離脱することがない。
また、上記パネル板３から載置物品６を引き離す場合には人力により引っ張ればパネル板３を破損することなし離脱できるようになる。
【実施例２】
【０００９】
本考案の他の実施例においては下側に配置した矩形状の凹状輪郭部分２の両側面には円弧状に外方に膨らむ部分を形成しないようにする。
この実施例においても本考案の所期の目的は達成できるようになる。
【符号の説明】
【００１０】
１ 凸状輪郭部分
２ 凹状輪郭部分
３ パネル板
４ 凹状輪郭部分の下面
５ 陳列台
６ 載置物品  
【図１】
0003188440.tif 000003
(57)【要約】      （修正有）【課題】タイヤ形成を対象としたセグメント構成の装置容器用セグメントキャリヤ体を提供する。【解決手段】タイヤ成形を対象としたセグメント構成の装置容器１０はコニカルリング２、スペーサリング１、セグメントキャリヤ体３、および装置容器プレートの上部プレート４および下部プレート５からなる。スペーサリング１およびこれに取り付けた一つのコニカルリング２は、ダブルアクションプレスのプレートに固定する。装置容器１０の上部プレート４は、セグメントキャリヤ体３とともに中央のプレスピストンのラムに取り付ける。装置容器１０の下部プレート５は、プレスの下部プレートに取り付ける。タイヤ成形用のセグメントキャリヤ体３は、Ｔ形案内部材が嵌合し、コニカルリング２の一部を構成するＴ形溝によって装置容器内を移動する。【選択図】図１
0003188433.tif 000002
【実用新案登録請求の範囲】
【請求項１】
セグメント構成の装置容器を対象としたセグメントキャリヤ体であって、セグメントキャリヤ体（３）の本体（３１）に溝（６）を形成し、この溝に２つの着脱自在なＬ形装着プレート（７）を取り付けてＴ形溝（８）を形成したことを特徴とするセグメントキャリヤ体。
【考案の詳細な説明】
【技術分野】
【０００１】
本考案は、タイヤ成形を対象としたセグメント構成の装置容器用セグメントキャリヤ体であって、これらキャリヤ体に形成したＴ形溝の損傷またはジャミングの修理を容易にする交換取り付けプレートを備えたセグメントキャリヤ体に関する。
【背景技術】
【０００２】
ラジアル構造のタイヤの場合、加硫セグメント式装置容器内で成形を行う。多くの場合、この装置容器はコニカルリング、スペーサリング、セグメントキャリヤ体、および装置容器の上部プレートおよび下部プレートからなる。一体化したスペーサリングおよびコニカルリングはダブルアクションプレスの上部プレートに固定し、この上部プレートはセグメントキャリヤ体とともに中央のプレスピストンのラムに固定する。そして装置容器の下部プレートのみを下部プレスプレートに固定する。モールドセグメントのキャリヤ体は、セグメントキャリヤ体に形成したＴ形溝およびコニカルリングを構成するＴ形案内部材によって装置容器内を移動する。プレスが閉じている時には、セグメントキャリヤ体もテーパ状コニカルリングを介して閉じ、従ってこれらが装置容器上部プレートの溝内で半径方向に移動できる。また、コニカルリングのＴ形溝およびＴ形案内部材によってキャリヤ体が内部に向かって半径方向かつ軸方向に移動する。プレスプレートの端部位置に達し、かつこれを所定位置にロックした後移動が停止する。タイヤケーシングが閉じている時には、Ｔ型案内部材の溝は横方向に応力がかかる。また、セグメントキャリヤ体の円周方向移動は、モールドの回転および/またはタイヤケーシングの方向において指向性トレッドパターンで生じる結果、Ｔ形案内部材のキャリヤ溝がジャミングを起こし、あるいは過剰に摩耗する。Ｔ形溝の公知構成を図３および図４に示す。
【０００３】
装置容器が開いた状態にある時には、上部プレスプレートが上方移動するため、セグメントキャリヤ体は、タイヤ成形モールドのセグメントにおいて加硫状態にあるタイヤケーシング化合物の接着力に負けない必要がある。タイヤケーシングも、開いた状態にあり、キャリヤ体が下部装置容器プレートと接触しなくなると、モールドセグメントのトレッドパターンから引き裂かれることも多く、例えばセグメントが落下し、キャリヤ体に形成されたＴ形溝に過剰な応力がかかり、ジャミングや変形が生じる。Ｔ形溝の損傷は修理する必要があり、ブロック全体を取り外し、次に新しい鋼ブロックを取り外した溝付きブロックに挿入し、新しいＴ形溝をブロックに形成する。この修理方法の場合、装置容器を修理工場に送る必要があり、修理には３〜４週間必要なことが多く、修理費も非常に高い。
【考案の概要】
【０００４】
技術的設計の基礎
本考案に従って装置容器を対象として設計したセグメントキャリヤ体を使用すれば、損傷したセグメントキャリヤ体溝を修理する従来方法の欠点を改善できる。本考案の要旨は、２つの着脱自在な装着プレートを装着してＴ形溝を形成したセグメントキャリヤ体に溝を形成したことにある。
【０００５】
本考案の作用効果は、損傷した装着プレートがある場合これを新しいプレートと簡単に交換でき、装置容器を生産ラインから外す必要がない点にある。装着プレートは、標準的な交換可能なプレートとして設計でき、顧客の要請に従って供給することができる。装置容器の修理、およびその完成には３〜４時間あればよく、修理費がかなり低くなる。
【０００６】
以下添付図面を参照して、本考案を詳しく説明する。
【図面の簡単な説明】
【０００７】
【図１】セグメント構成の開いた状態にある装置容器を示す図である。
【図２】閉じた状態にある装置容器を示す図である。
【図３】公知設計のセグメントキャリヤ体のＴ形溝で、このＴ形溝をキャリヤ体に直接形成した場合を示す図である。
【図４】公知設計のセグメントキャリヤ体のＴ形溝で、このＴ形溝をキャリヤ体に直接形成した場合を示す図である。
【図５】本考案の解決策に従って構成したセグメントキャリヤ体の新規設計を示す図である。
【図６】本考案の解決策に従って構成したセグメントキャリヤ体の新規設計を示す上面図である。
【考案を実施するための形態】
【０００８】
図１に示したタイヤ成形を対象としたセグメント構成の装置容器１０はコニカルリング２、スペーサリング１、セグメントキャリヤ体３、および装置容器プレートの上部プレート４および下部プレート５からなる。スペーサリング１およびこれに取り付けた一つのコニカルリング２は、図示を省略したダブルアクションプレスのプレートに固定する。装置容器１０の上部プレート４は、セグメントキャリヤ体３とともに図示を省略した中央のプレスピストンのラムに取り付ける。装置容器１０の下部プレート５は、図示を省略したプレスの下部プレートに取り付ける。タイヤ成形用のセグメントキャリヤ体３は、Ｔ形案内部材が嵌合し、コニカルリング２の一部を構成するＴ形溝８によって装置容器内を移動する。これらＴ形溝８の場合、溝６がセグメントキャリヤ体３の本体３１に形成され、この溝に２つのＬ形装着プレート７が挿入かつ機械的に固定されてＴ形溝８を形成するように本体３１に形成する（図５および図６）。ボルトなどの接続要素によって装着プレート７を溝６に固定する。即ち、装着プレート７が機械的に損傷した場合にこれらを簡単に新しいプレートに交換できることを意味する。装置容器のタイプに応じて、一つの装置容器は１１までのセグメントキャリヤ体３を備えることができる。例えば、装着プレート７には１１のＴ形溝８を形成できる。損傷した装着プレート７を交換する場合、労力をかなり節約することができる。
【符号の説明】
【０００９】
１：スペーサリング
２：コニカルリング
３：セグメントキャリヤ体
４：上部プレート
５：下部プレート
６：溝
７：Ｌ形装着プレート
８：Ｔ形溝
１０，１１：装置容器
３１：本体
【図１】
0003188433.tif 000003
【図２】
0003188433.tif 000004
【図３】
0003188433.tif 000005
【図４】
0003188433.tif 000006
【図５】
0003188433.tif 000007
【図６】
0003188433.tif 000008
(57)【要約】【課題】肩部または背中部のリハビリテーション、鍛え、あるいは、姿態を美しくする運動器具を提供する。【解決手段】架橋材３、および、弾性バンド１０を備える。架橋材３は、柱体３０を有する。柱体３０は、第１端３２と第２端３３とを有する。弾性バンド１０は、柱体３０の第１端３２に穿設されている中段部１３を有し、第１端１１おおび第２端１２がそれぞれ柱体３０の第２端３３に穿設されている。弾性バンド１０を調節して、弾性バンド１０を使用者８の体型に合わせて、適切な長さとなるよう調節することができる。【選択図】図１
0003188938.tif 000002
【実用新案登録請求の範囲】
【請求項１】
架橋材（３）、および、弾性バンド（１０）を備え、
前記架橋材（３）は、柱体（３０）を有し、
前記柱体（３０）は、第１端（３２）と第２端（３３）とを有し、
前記弾性バンド（１０）は、前記柱体（３０）の前記第１端（３２）に穿設されている中段部（１３）を有し、第１端（１１）おおび前記第２端（１２）がそれぞれ前記柱体（３０）の前記第２端（３３）に穿設されていることを特徴とする運動器具。
【請求項２】
前記弾性バンド（１０）の前記第１端（１１）および前記第２端（１２）に結合されている２つの調節リング（４０）をさらに備えることを特徴とする請求項１記載の運動器具。
【請求項３】
前記弾性バンド（１０）の前記第１端（１１）および前記第２端（１２）との結合に用いられる前記調節リング（４０）をさらに備えることを特徴とする請求項２記載の運動器具。
【考案の詳細な説明】
【技術分野】
【０００１】
本考案は、運動器具に関する。
【背景技術】
【０００２】
従来の運動器具により、使用者の手や足等の運動を行うことができる。
【考案の概要】
【考案が解決しようとする課題】
【０００３】
現在の運動器具は、使用者の肩部または背中部のリハビリテーションまたは鍛えることはできない。
本考案は、肩部または背中部のリハビリテーション、鍛え、あるいは、姿態を美しくする運動器具を提供することを目的としている。
【課題を解決するための手段】
【０００４】
本考案による運動器具は、架橋材、および、弾性バンドを備える。架橋材は、柱体を有する。柱体は、第１端と第２端とを有する。弾性バンドは、柱体の第１端に穿設されている中段部を有し、第１端おおび第２端がそれぞれ柱体の第２端に穿設されている。
【図面の簡単な説明】
【０００５】
【図１】本考案の一実施形態による運動器具の応用例を示す模式図である。
【図２】本考案の一実施形態による運動器具の応用例を示す模式図である。
【図３】本考案の一実施形態による運動器具の応用例を示す分解斜視図である。
【図４】本考案の一実施形態による運動器具の応用例を示す平面図である。
【図５】本考案の一実施形態による運動器具の応用例を示す斜視図である。
【図６】本考案の一実施形態による運動器具の応用例を示す断面図である。
【考案を実施するための形態】
【０００６】
（一実施形態）
本考案の一実施形態による運動器具を図面に基づいて説明する。
本実施形態による運動器具は、架橋材３と、弾性バンド１０と、２つの調節リング４０と、を備える。図１〜４に示すように、弾性バンド１０は、２つの端部１１、１２と、一つの中段部１３とを有する。架橋材３は、柱体３０を有する。柱体３０の第１端３２は、弾性バンド１０の中段部１３の穿設に用いられる。柱体３０は、溝部３１が設けられている第２端３３に、弾性バンド１０の２つの端部１１、１２の結合に用いる一つまたは複数（例えば、２つ）の溝３４、３５が形成されている。
【０００７】
２つの調節リング４０は、それぞれ一つの梁４１を含み、一つまたは複数（例えば、２つ）の調節溝４２を有し、弾性バンド１０の２つの端部１１、１２との連結に用いられる。弾性バンド１０の２つの端部１１、１２は、それぞれ調節リング４０の調節溝４２と梁４１とをくぐらせて、柱体３０の溝３４、３５を通し、調節リング４０の梁４１に固定され、調節リング４０により調節自在に柱体３０の第２端３３に結合されている。弾性バンド１０を調節して、弾性バンド１０を使用者８の体型に合わせて、適切な長さとなるよう調節することができる。
【０００８】
フィギュアリングは、弾性バンド１０の中段部１３に設ける２つのパッド５０をさらに有する。係るパッド５０は、弾性バンド１０の中段部１３の穿設に用いられるパッド溝５１が設けられている。各パッド５０は、使用者８に快適に接触することができる軟質パッド体５２をさらに有する。パッド５０は、一例として、上部セクション１４に弾性バンド１０の端部１１、１２を設置し、下部セクション１５に弾性バンド１０の中段部１３を設置するように、弾性バンド１０を２つのセクション１４、１５に仕切られることができる。架橋材３は、弾性バンド１０の２つのセクション１４、１５の距離を調節することができるように、例えば、調節自在の構造（図示されない）に構成されても良い。
【０００９】
操作するときは、本考案のフィギュアリングを使用者８の背中部８１または肩部８０に装着し、使用者８の肩部８０または背中部８１に対してリハビリテーションまたは矯正または鍛えることができる。弾性バンド１０の端部１１、１２は、図５、６に示すように、柱体３０の第２端３３に対して適切な位置に調節され、様々な体型の使用者８の使用に適用する。弾性バンド１０の２つのセクション１４、１５は、架橋材３によって、適切な距離に仕切ることができる。
【符号の説明】
【００１０】
３・・・架橋材、
１０・・・弾性バンド、
３０・・・柱体、
３２・・・第１端、
３３・・・第２端、
１３・・・中段部、
１１・・・第１端、
１２・・・第２端。
【図１】
0003188938.tif 000003
【図２】
0003188938.tif 000004
【図３】
0003188938.tif 000005
【図４】
0003188938.tif 000006
【図５】
0003188938.tif 000007
【図６】
0003188938.tif 000008
(57)【要約】      （修正有）【課題】飲料自動販売機横につける飲料空容器回収ボックスに使用する、転倒や飛散を防止するための金具部品を提供する。【解決手段】飲料などの自動販売機横に設置する飲料空容器回収ボックスを固定するための紐やベルトを通すボックス本体にセットする金属部品１で、回収ボックス本体上部の枠の幅が多種の形状のボックスにもセット可能な、本体を挟み込むために、本体内側の側面に接する面を持ち、本体上部より外側に向けて、回収ボックス本体上部の枠の最大幅に曲げ、さらに下部方向へ、内側に鋭角に本体側面に向けて曲げ、その先端部に紐やベルトを通すスペースを設けた構造を特徴とする。【選択図】図１
0003188995.tif 000002
【実用新案登録請求の範囲】
【請求項１】
飲料などの自動販売機横に設置する飲料空容器回収ボックスを固定するための紐ベルトを通すボックス本体にセットする金属部品で、回収ボックス本体上部の枠幅が多種の形状の回収ボックスにもセット可能な、本体を挟み込むために  本体内側の側面に接する面を持ち、本体上部より外側向け使用容器本体枠上部の最大幅に曲げ、さらに下部方向へ内側へに鋭角に本体側面に向けて曲げ、その先端部に紐やベルトを通すスペースを設けた構造の金具部品。
【考案の詳細な説明】
【技術分野】
【０００１】
本考案は、飲料空容器回収ボックスが風で移動したり転倒するのを防ぐために使用する、金具の構造に関する。
【背景技術】
【０００２】
従来、自動販売機横からの空容器回収ボックスの転倒や離散を防ぐために、ベルトやゴム紐を使用して自動販売機と回収ボックスを結び付けるためにボックスに穴をあけたり専用金具を使用したりしていたが、いろいろな形状の回収ボックスすべてに対応できないという問題があった。
【考案の開示】
【考案が解決しようとする課題】
【０００３】
解決しようとする問題点は、自販機と空容器回収ボックスを紐またはベルトでで結びつけるときに、より多くの形状の回収ボックスに対応できる金具の構造という点である。
【課題を解決するための手段】
【０００４】
本考案は、自動販売機サイドの空容器回収ボックスを倒れにくくし、また風などで離散することを防ぐために、ベルト等を使用する際、回収ボックスとベルト等とを繋ぐ金具が、多種の回収ボックスの形状に使用できる構造を持つことを特徴とする。
【考案の効果】
【０００５】
本考案においては、より多くの空容器回収ボックスを簡単に自販機の横に結びつけることにより、回収ボックスの転倒防止とそれに伴う、空容器などの内容物の離散、また強風によるボックスが飛散したときの対物対人身事故やボックス自体の消失を大幅に防止でき、多種の容器に使用できるため、効率よく管理することができる。
【考案を実施するための最良の形態】
【０００６】
多種の形状の空容器回収ボックスを自動販売機にベルトまたは紐でむすびつけるための簡単で低コストですむ金具部品の構造を実現した。
【実施例１】
【０００７】
図１は金属部品の形状である。
【０００８】
図２は金属部品を  回収ボックス本体上部の幅の狭いタイプの枠にセットした時のものである。
【０００９】
図３は金属部品を  回収ボックス本体上部の幅の広いタイプの枠にセットした時のものである。
【００１０】
図４は金属部品の外側先端に自販機と結び付けるベルトを通した場合の図である。
【産業上の利用可能性】
【００１１】
自動販売機の空容器回収ボックスに、回収ボックス本体上部の枠幅が多種の形状の回収ボックスにもセット可能な構造構造を持つ、本体を挟み込むために  本体内側の側面に接する面を持ち、本体上部より外側向け使用容器本体上部の最大幅に曲げ、さらに下部方向へ内側へに鋭角に本体側面に向けて曲げ、その先端部に紐やベルトを通すスペースを設けた形状の金具部品を使用することにより、多種の回収ボックスを自販機と回収ボックスを結び付けることが出来、ボックスの転倒による内容物の散乱防止の環境美化や、強風飛散による対物対人の衝突防止の安全配慮につなげることができる。
【図面の簡単な説明】
【００１２】
【図１】金属部品の形状図である（実施例１）
【図２】回収ボックス本体上部の幅の狭いタイプの枠に金属部品をセットした説明図である。（実施例１）
【図３】回収ボックス本体上部の幅の広いタイプの枠に金属部品をセットした説明図である。（実施例１）
【図４】金属部品の外側先端に自販機と結び付けるベルトを通した場合の説明図である。（実施例１）
【図５】回収ボックス本体に取り付けた場合の全体図である。（実施例１）
【符号の説明】
【００１３】
１    金属部品
２    上部幅の狭い回収ボックスの断面
３    上部幅の広い回収ボックスの断面
４    ベルト
５    回収ボックス本体
【図１】
0003188995.tif 000003
【図２】
0003188995.tif 000004
【図３】
0003188995.tif 000005
【図４】
0003188995.tif 000006
【図５】
0003188995.tif 000007
【手続補正書】
【提出日】平成25年12月10日(2013.12.10)
【手続補正２】
【補正対象書類名】実用新案登録請求の範囲
【補正対象項目名】全文
【補正方法】変更
【補正の内容】
【実用新案登録請求の範囲】
【請求項１】
飲料などの自動販売機横に設置する飲料空容器回収ボックスを固定するための紐やベルトを通すボックス本体にセットする金属部品で、回収ボックス本体上部の枠の幅が多種の形状のボックスにもセット可能な、本体を挟み込むために、本体内側の側面に接する面を持ち、本体上部より外側に向けて、回収ボックス本体上部の枠の最大幅に曲げ、さらに下部方向へ、内側に鋭角に本体側面に向けて曲げ、その先端部に紐やベルトを通すスペースを設けた構造の金具部品。
(57)【要約】      （修正有）【課題】１枚のレジ袋で生物と乾物を２ヶ所に入れる仕切を作り、持ち運びにも便利なレジ袋を提供する。【解決手段】レジ袋の中央に中仕切２を設け、生物と乾物を別々に入れることを可能にする。従来では２枚必要だったレジ袋が１枚でしかも持ち運びも便利で環境にも優しくＣＯ２削減に協力出来る。【選択図】図２
0003188982.tif 000002
【実用新案登録請求の範囲】
【請求項１】
レジ袋▲１▼を中央に▲２▼の仕切を入れて生物入れと乾物入れを別々に入れるレジ袋である
【考案の詳細な説明】
【技術分野】
【０００１】この考案は環境に優しいレジ袋の考案でＣＯ２が少なくなる様に考えた考案です。
【背景技術】
【０００２】従来のレジ袋は大小にかかわらず、別々の袋に入っていたので袋が何枚も必要であった。（特許文献１参照）
【先行技術文献】
【０００３】
【特許文献】
【特許文献】  特開００００−００００００号会報
【考案の概要】
【考案が解決しようとする課題】
【０００４】従来は多くのレジ袋が必要であったので、ＣＯ２にも環境にも悪く重い物を多く持ち運んでいた欠点があった。
【課題を解決するための手段】
【０００５】レジ袋の中央に仕切▲２▼を入れて、生物と乾物とを別々に入れる。
【考案の効果】
【０００６】中央に仕切▲２▼を入れることにより、従来では２枚必要だったレジ袋が１枚でしかも持ち運びも便利で環境にも優しくＣＯ２削減に協力出来る。
【図面の簡単な説明】
【０００７】
【図１】
0003188982.tif 000003
【図２】
0003188982.tif 000004
【考案を実施するための形態】
【０００８】本考案を実施するための形態について説明する。
従来のレジ袋の中央に仕切▲２▼を入れて、生物と乾物とを一つの袋で利用出来、持ち運びも便利で楽でＣＯ２削減に協力出来て、環境に優しいのが特徴である。
【符号の説明】
【０００９】▲１▼  レジ袋
▲２▼  仕切
【図１】
0003188982.tif 000005
【図２】
0003188982.tif 000006
【手続補正書】
【提出日】平成25年11月20日(2013.11.20)
【手続補正１】
【補正対象書類名】実用新案登録請求の範囲
【補正対象項目名】全文
【補正方法】変更
【補正の内容】
【実用新案登録請求の範囲】
【請求項１】
レジ袋の中央に中仕切を設け、生物と乾物を別々に入れることが可能であることを特徴とするレジ袋。
【手続補正２】
【補正対象書類名】明細書
【補正対象項目名】０００７
【補正方法】変更
【補正の内容】
【０００７】
【図１】本考案の斜視図である
【図２】本考案の分解斜視図である
(57)【要約】      （修正有）【課題】冷却システムのコンデンサーからの熱を水に蓄熱させ、エネルギーの節約を図った装置を提供する。【解決手段】コンデンサー１からの排熱の場所に、暖められた空気を集める装置２を取り付け、暖められた空気がパイプに送られ、パイプを水の入ったパネルに巻き付け、パネル内の水に暖められたパイプ内の熱を移動する装置３であることを特徴とする。【選択図】図１
0003188975.tif 000002
【実用新案登録請求の範囲】
【請求項１】
冷却システムのコンデンサ−からの排熱を水に移動させることを特徴とする冷却システムの熱を水に移動させる装置
【考案の詳細な説明】
【技術分野】
【０００１】  本考案は、冷却システムの放熱に関するものである。
【背景技術】
【０００２】  従来、エアコン、冷蔵庫など冷却システムが働いているところでは、コンデンサ−からの排熱は、空気中に放出されてきた。そのために、冷却されている以外のところの気温が上がりヒ−トアイランド現象の一因ともなっている。また、空気中に排熱することは、エネルギ−の無駄ともなっている。
【考案の概要】
【考案が解決しようとする課題】
【０００３】  冷却システムの排熱を水に移動させ温水として生活に使えるよう提供する。
【課題を解決するための手段】
【０００４】  本考案は、冷却システムの排熱をパイプを使って誘導し、別の所で水の入ったパネルに接し水に熱を移動させる。
【考案の効果】
【０００５】  ただ単に空気中に熱を放出することは、エネルギ−の無駄となるどころか、ヒ−トアイランド現象を促進させる一因ともなっている。水に熱を移動させることで、温水として使えエネル−ギ−の節約になり、空気中への排熱を抑えることでヒ−トアイランド現象の軽減につなげる可能性もある。
【図面の簡単な説明】
【０００６】
【図１】コンデンサ−上部に温風を集める、換気扇的なものを取り付けパイプを使って温風を別のところに導き、水の入ったパネルと接し熱を水に移動させている図。
【考案を実施するための形態】
【０００７】  従来のコンデンサ−の排熱の場所に、暖められた空気を集める装置を取り付け、その空気をパイプを使って別の場所に設置された水の入ったパネルのところまで導き、パネル内の水に熱を移動させる。
【実施例】
【０００８】  以下添付図に従って、一実施例を説明する。
１は、冷却システムのコンデンサ−部分。２は、温風を集める装置。３は、水の入ったパネル。
【符号の説明】
【０００９】１  冷却システムのコンデンサ−部分
２  温風を集める装置
３  中に水の入ったパネル
４  温風
【図１】
0003188975.tif 000003
【手続補正書】
【提出日】平成25年11月8日(2013.11.8)
【手続補正１】
【補正対象書類名】実用新案登録請求の範囲
【補正対象項目名】全文
【補正方法】変更
【補正の内容】
【実用新案登録請求の範囲】
【請求項１】
従来のコンデンサーからの排熱の場所に、暖められた空気を集める装置を取り付け、前記の暖められた空気がパイプに送られ前記パイプを水の入ったパネルに巻き付け前記パネル内の水に前記暖められたパイプ内の熱を移動する装置を提供することを特徴とする冷却システムの熱を水に移動させる装置。